(57)【要約】【課題】ユーザがバリアブル画像のページの間に空白ページを挿入する作業を行なう場合と比べ、空白ページ挿入のユーザの手間を省いた画像処理装置等を提供する。【解決手段】フォーム画像を複数ページのバリアブル画像に１ページずつ順に配置する第１配置モードと、複数ページのバリアブル画像をフォーム画像に配置する第２配置モードとのうちのいずれかの配置モードを選択する配置モード選択部と、第１配置モードの場合に、フォーム画像１ページずつを循環的にバリアブル画像１ページずつに配置し、第２配置モードの場合に、バリアブル画像の各ページをフォーム画像の特定のページに配置する画像配置部とを備えた。【選択図】図３
2017208008.tif 000002
【特許請求の範囲】
【請求項１】
印刷時のページの画像が固定されたフォーム画像と、可変なバリアブル画像とを組み合わせて、複数ページの画像を構成する画像処理を行なう画像処理装置であって、
前記フォーム画像を複数ページの前記バリアブル画像に１ページずつ順に配置する第１配置モードと、複数ページの前記バリアブル画像を前記フォーム画像に配置する第２配置モードとのうちのいずれかの配置モードを選択する配置モード選択部と、
前記第１配置モードの場合に、前記フォーム画像１ページずつを循環的に前記バリアブル画像１ページずつに配置し、前記第２配置モードの場合に、前記バリアブル画像の各ページを前記フォーム画像の特定のページに配置する画像配置部とを備えたことを特徴とする画像処理装置。
【請求項２】
前記特定のページを指定する指定部を有し、
前記指定部は、前記フォーム画像の奇数ページまたは前記フォーム画像の偶数ページを前記特定のページとして指定することができ、
前記画像配置部は、前記特定のページとして奇数ページが指定された場合に、前記バリアブル画像の各ページを前記フォーム画像の奇数ページに配置し、前記特定のページとして偶数ページが指定された場合に、前記バリアブル画像の各ページを前記フォーム画像の偶数ページに配置するものであることを特徴とする請求項１記載の画像処理装置。
【請求項３】
前記特定のページを指定する指定部を有し、
前記指定部は、前記フォーム画像の任意のページを前記特定のページとして指定することができ、
前記画像配置部は、前記バリアブル画像の各ページを、前記フォーム画像の、前記特定のページとして指定されたページに配置するものであることを特徴とする請求項１記載の画像処理装置。
【請求項４】
請求項１から３のうちのいずれか１項に記載の画像処理装置と、
前記画像処理装置により配置された前記フォーム画像と前記バリアブル画像とのページごとの組み合わせに従った画像を印刷する印刷装置とを備えたことを特徴とする印刷システム。
【請求項５】
プログラムを実行する情報処理装置で実行され、該情報処理装置を、印刷時のページの画像が固定されたフォーム画像と、可変なバリアブル画像とを組み合わせて、複数ページの画像を構成する画像処理を行なう画像処理装置として動作させる画像処理プログラムであって、
前記情報処理装置を、
前記フォーム画像を複数ページの前記バリアブル画像に１ページずつ順に配置する第１配置モードと、複数ページの前記バリアブル画像を前記フォーム画像に配置する第２配置モードとのうちのいずれかの配置モードを選択する配置モード選択部と、
前記第１配置モードの場合に、前記フォーム画像１ページずつを循環的に前記バリアブル画像１ページずつに配置し、前記第２配置モードの場合に、前記バリアブル画像の各ページを前記フォーム画像の特定のページに配置する画像配置部とを備えた画像処理装置として動作させることを特徴とする画像処理プログラム。
【請求項６】
前記情報処理装置を、
前記特定のページを指定する指定部をさらに有し、
前記指定部は、前記フォーム画像の奇数ページまたは前記フォーム画像の偶数ページを前記特定のページとして指定することができ、
前記画像配置部は、前記特定のページとして奇数ページが指定された場合に、前記バリアブル画像の各ページを前記フォーム画像の奇数ページに配置し、前記特定のページとして偶数ページが指定された場合に、前記バリアブル画像の各ページを前記フォーム画像の偶数ページに配置するものである画像処理装置として動作させることを特徴とする請求項５に記載の画像処理プログラム。
【請求項７】
前記情報処理装置を、
前記特定のページを指定する指定部をさらに有し、
前記指定部は、前記フォーム画像の任意のページを前記特定のページとして指定することができ、
前記画像配置部は、前記バリアブル画像の各ページを、前記フォーム画像の、前記特定のページとして指定されたページに配置するものである画像処理装置として動作させることを特徴とする請求項５に記載の画像処理プログラム。
【発明の詳細な説明】
【技術分野】
【０００１】
本発明は、画像処理装置、印刷システム、および画像処理プログラムに関する。
【背景技術】
【０００２】
従来より、バリアブル印刷が行われている。ここで、バリアブル印刷とは、印刷時の各ページの画像が各ページごとに固定された、比較的少ないページ数（例えば２ページ）のフォーム画像と、印刷時の各ページの画像が各ページごとに可変なバリアブル画像とを組み合わせて、各ページごとの画像を構成する画像処理を行ない、この画像処理により構成された各ページの画像を印刷することをいう。
【０００３】
このため、例えば、フォーム画像がおもて面用の１ページ目とうら面用の２ページ目との２ページ構成であって、おもて面のみにバリアブ画像を配置したい場合、すなわち、おもて面についてはフォーム画像の１ページ目とバリアブル画像の各ページを組み合わせた画像を印刷し、うら面についてはフォーム画像の２ページ目のみを印刷する両面印刷を行う場合を考える。この場合、うら面については、と空白のダミーのバリアブル画像とを組み合わせた画像が印刷されるように、ユーザがバリアブル画像１ページごとに空白のダミーのバリアブル画像を挿入する作業を行なう必要があり、ユーザに余計な負担がかかっている。特に、大量のバリアブル画像を印刷する場合には、バリアブル画像１ページごとに空白のダミーのバリアブル画像を挿入する手間が膨大となり、ユーザに大きな負担を強いる結果となっている。
【０００４】
ここで、特許文献１には、バリアブルデータの各サブセット毎に、ページ順とバーコードの配置位置からなるフォームパターンを当てはめてバーコードを付与するバリアブルプリント技術が開示されている。ここでは、サブセット毎のページ数を判断して、そのページ数分のフォームを適用している。
【先行技術文献】
【特許文献】
【０００５】
【特許文献１】特開２０１３−１７８７１６号公報
【発明の概要】
【発明が解決しようとする課題】
【０００６】
上掲の特許文献１に開示された技術は、バリアブルデータのサブセットを対象としたバリアブル印刷ではあるが、上記の余計な手間の削減とは無関係である。
【０００７】
本発明は、上記事情に鑑み、ユーザがバリアブル画像のページの間に空白ページを挿入する作業を行なう場合と比べ、空白ページ挿入のユーザの手間を省いた画像処理装置、印刷システム、および画像処理プログラムを提供することを目的とする。
【課題を解決するための手段】
【０００８】
請求項１は、印刷時のページの画像が固定されたフォーム画像と、可変なバリアブル画像とを組み合わせて、複数ページの画像を構成する画像処理を行なう画像処理装置であって、
前記フォーム画像を複数ページの前記バリアブル画像に１ページずつ順に配置する第１配置モードと、複数ページの前記バリアブル画像を前記フォーム画像に配置する第２配置モードとのうちのいずれかの配置モードを選択する配置モード選択部と、
前記第１配置モードの場合に、前記フォーム画像１ページずつを循環的に前記バリアブル画像１ページずつに配置し、前記第２配置モードの場合に、前記バリアブル画像の各ページを前記フォーム画像の特定のページに配置する画像配置部とを備えたことを特徴とする画像処理装置である。
【０００９】
請求項２は、
前記特定のページを指定する指定部を有し、
前記指定部は、前記フォーム画像の奇数ページまたは前記フォーム画像の偶数ページを前記特定のページとして指定することができ、
前記画像配置部は、前記特定のページとして奇数ページが指定された場合に、前記バリアブル画像の各ページを前記フォーム画像の奇数ページに配置し、前記特定のページとして偶数ページが指定された場合に、前記バリアブル画像の各ページを前記フォーム画像の偶数ページに配置するものであることを特徴とする請求項１記載の画像処理装置ある。
【００１０】
請求項３は、
前記特定のページを指定する指定部を有し、
前記指定部は、前記フォーム画像の任意のページを前記特定のページとして指定することができ、
前記画像配置部は、前記バリアブル画像の各ページを、前記フォーム画像の、前記特定のページとして指定されたページに配置するものであることを特徴とする請求項１記載の画像処理装置ある。
【００１１】
請求項４は、請求項１から３のうちのいずれか１項に記載の画像処理装置と、
前記画像処理装置により配置された前記フォーム画像と前記バリアブル画像とのページごとの組み合わせに従った画像を印刷する印刷装置とを備えたことを特徴とする印刷システムである。
【００１２】
請求項５は、プログラムを実行する情報処理装置で実行され、該情報処理装置を、印刷時のページの画像が固定されたフォーム画像と、可変なバリアブル画像とを組み合わせて、複数ページの画像を構成する画像処理を行なう画像処理装置として動作させる画像処理プログラムであって、
前記情報処理装置を、
前記フォーム画像を複数ページの前記バリアブル画像に１ページずつ順に配置する第１配置モードと、複数ページの前記バリアブル画像を前記フォーム画像に配置する第２配置モードとのうちのいずれかの配置モードを選択する配置モード選択部と、
前記第１配置モードの場合に、前記フォーム画像１ページずつを循環的に前記バリアブル画像１ページずつに配置し、前記第２配置モードの場合に、前記バリアブル画像の各ページを前記フォーム画像の特定のページに配置する画像配置部とを備えた画像処理装置として動作させることを特徴とする画像処理プログラムである。
【００１３】
請求項６は、前記情報処理装置を、
前記特定のページを指定する指定部をさらに有し、
前記指定部は、前記フォーム画像の奇数ページまたは前記フォーム画像の偶数ページを前記特定のページとして指定することができ、
前記画像配置部は、前記特定のページとして奇数ページが指定された場合に、前記バリアブル画像の各ページを前記フォーム画像の奇数ページに配置し、前記特定のページとして偶数ページが指定された場合に、前記バリアブル画像の各ページを前記フォーム画像の偶数ページに配置するものである画像処理装置として動作させることを特徴とする請求項５に記載の画像処理プログラムである。
【００１４】
請求項７は、前記情報処理装置を、
前記特定のページを指定する指定部をさらに有し、
前記指定部は、前記フォーム画像の任意のページを前記特定のページとして指定することができ、
前記画像配置部は、前記バリアブル画像の各ページを、前記フォーム画像の、前記特定のページとして指定されたページに配置するものである画像処理装置として動作させることを特徴とする請求項５に記載の画像処理プログラムである。
【発明の効果】
【００１５】
請求項１の画像処理装置、請求項４の印刷システム、および請求項５の画像処理プログラムによれば、上記の第２配置モードを選択するだけで、バリアブル画像の各ページがフォーム画像の特定のページに配置される。したがって、ユーザがバリアブル画像のページの間に空白ページを挿入する作業を行なう場合と比べ、空白ページ挿入のユーザの手間が省かれる。
【００１６】
請求項２の画像処理装置および請求項６の画像処理プログラムによれば、バリアブル画像の各ページをフォーム画像の奇数ページあるいは偶数ページの一方にのみ配置するにあたり、ユーザがバリアブル画像のページの間に空白ページを挿入する作業を行なう場合と比べ空白ページ挿入のユーザの手間が省かれる。
【００１７】
請求項３の画像処理装置および請求項７の画像処理プログラムによれば、バリアブル画像の各ページをフォーム画像の任意のページにのみ配置するにあたり、ユーザがバリアブル画像のページの間に空白ページを挿入する作業を行なう場合と比べ空白ページ挿入のユーザの手間が省かれる。
【図面の簡単な説明】
【００１８】
【図１】印刷システムの全体構成を示した概念図である。
【図２】バリアブル印刷の説明図である。
【図３】「フォームとジョブのページ配置」の指示画面を示した図である。
【図４】「ジョブの全ページにフォームのページを配置」を選択した場合の、フォーム画像とバリアブル画像との組合せ例を示した図である。
【図５】「フォームの奇数ページにジョブの全ページを配置」を選択した場合の、フォーム画像とバリアブル画像との組合せ例を示した図である。
【図６】「フォームの偶数ページにジョブの全ページを配置」を選択した場合の、フォーム画像とバリアブル画像との組合せ例を示した図である。
【図７】「製本方式」の指示画面を示した図である。
【図８】「まとめて１枚」（ここでは「２アップ」）が選択され、さらに、「ジョブの全ページにフォームのページを配置」を選択した場合の、フォーム画像とバリアブル画像との組合せ例を示した図である。
【図９】「まとめて１枚」（ここでは「２アップ」）が選択され、さらに、「フォームの奇数ページにジョブの全ページを配置」を選択した場合の、フォーム画像とバリアブル画像との組合せ例を示した図である。
【図１０】「まとめて１枚」（ここでは「２アップ」）が選択され、さらに、「フォームの偶数ページにジョブの全ページを配置」を選択した場合の、フォーム画像とバリアブル画像との組合せ例を示した図である。
【図１１】「殖版」（ここでは「２面付け」）が選択され、さらに、「ジョブの全ページにフォームのページを配置」を選択した場合の、フォーム画像とバリアブル画像との組合せ例を示した図である。
【図１２】「殖版」（ここでは「２面付け」）が選択され、さらに「フォームの奇数ページにジョブの全ページを配置」を選択した場合の、フォーム画像とバリアブル画像との組合せ例を示した図である。
【図１３】「殖版」（ここでは「２面付け」）が選択され、さらに、「フォームの偶数ページにジョブの全ページを配置」を選択した場合の、フォーム画像とバリアブル画像との組合せ例を示した図である。
【図１４】フォーム画像が２ページ、バリアブル画像が３ページの場合の、フォーム画像とバリアブル画像との組合せ例を示した図である。
【図１５】画像処理プログラムのフローチャートを示した図である。
【図１６】ページ配置処理のフローチャートを示した図である。
【発明を実施するための形態】
【００１９】
以下、本発明の実施の形態について説明する。
【００２０】
なお、以下において説明する実施形態では、用紙上にプリントされた画像以外は全てデータ上の画像を取り扱っている。そこで、以下では、データ上の画像であっても、例えば「画像データ」のようにデータ上の画像であることを明示することなく、単に「画像」と表現することがある。原稿など、画像の範疇に入る他の用語についても同様である。
【００２１】
図１は、印刷システムの全体構成を示した概念図である。この図１に示す印刷システムは、本発明の印刷システムの一実施形態に相当する。
【００２２】
この図１に示す印刷システム１０は、複数台のクライアントＰＣ（パーソナルコンピュータ）１００と、複合機２００とを備えていて、それらが、ＬＡＮ（Ｌｏｃａｌ  Ａｒｅａ  Ｎｅｔｗｏｒｋ）３００で互いに接続されている。
【００２３】
各クライアントＰＣ１００では、ユーザ操作により、後述するバリアブル印刷のための処理を含む画像編集処理が行われる。ここで、各クライアントＰＣ１００は、本発明の画像処理装置の一例に相当し、また、各クライアントＰＣ１００内で実行される、後述するバリアブル印刷の処理に関するプログラムは、本発明の画像処理プログラムの一例に相当する。クライアントＰＣ１００のハードウェアは広く知られた汎用技術であり、ここでの図示および説明は省略する。
【００２４】
また、複合機２００は、本発明にいう印刷装置の一例に相当する。この複合機２００は、ＬＡＮ３００を経由しての通信機能、原稿等に描かれた画像を読み取って画像データを生成するスキャナ機能、および、用紙上に画像をプリント出力するプリント機能等を有する。
【００２５】
図２は、バリアブル印刷の説明図である。ここで、図２（Ａ）はフォーム画像、図２（Ｂ）は印刷画像、図２（Ｃ）はバリアブル画像である。ここでは、両面印刷の名刺を作成することをイメージしている。
【００２６】
図２（Ａ）のフォーム画像は、用紙のおもて面に印刷される１ページ目と、用紙のうら面に印刷される２ページ目との２ページ構成である。おもて面に印刷される１ページ目には、下部に、「○○株式会社」の文字が配置されている。また、うら面に印刷される２ページ目には、上部に、「○○株式会社」の文字が配置され、その下部にイラストレーションが配置されている。
【００２７】
次に、図２（Ｂ）の説明は後にして、図２（Ｃ）のバリアブル画像について先に説明する。
【００２８】
図２（Ｃ）に示すバリアブル画像の奇数ページには、氏名と所属部署が記載されている。偶数ページは空白のページである。
【００２９】
図２（Ｂ）に示す印刷画像は、図２（Ａ）のフォーム画像と図２（Ｃ）のバリアブル画像とを組み合わせた画像である。この組合せにあたり、フォーム画像は１ページ目と２ページ目が循環的に（ここでは、フォーム画像は２ページなので交互に）使用される。これに対し、バリアブル画像は、１ページ目から１ページずつ順次に使用される。図２（Ａ）のフォーム画像と図２（Ｃ）のバリアブル画像をこの通りに組み合わせると、図２（Ｃ）に示すように、おもて面は、フォーム画像の１ページ目とバリアブル画像の奇数ページとが組み合わされた画像となり、うら面は、フォーム画像の２ページ目のみの画像となる。フォーム画像とバリアブル画像とをこのように組み合わせた印刷画像を用紙上に両面印刷すると、両面印刷の名刺が完成する。
【００３０】
この図２に示す例では、図２（Ｃ）に示すように、バリアブル画像の偶数ページには空白のページが配置されている。従来は、ユーザが、おもて面のみのバリアブル画像の各ページの間に空白のダミーのバリアブル画像を挿入する作業を１ページずつ行って、図２（Ｃ）に示すような空白のページが配置されたバリアブル画像を用意する必要があった。これに対し、本実施形態では、ユーザが用意するバリアブル画像は、空白ページが挿入されていない、図２（Ｃ）のおもて面のみのバリアブル画像であって、ユーザによる、フォーム画像とバリアブル画像との組合せ方法の指示内容に応じて、空白ページが自動的に挿入される。
【００３１】
以下、この処理について詳細に説明する。
【００３２】
図３は、「フォームとジョブのページ配置」の指示画面を示した図である。
【００３３】
ユーザは、クライアントＰＣ１００を操作して、その表示画面上に、この図３に示す、「フォームとジョブのページ配置」の指示画面を表示させる。ここで、「フォーム」は、一組のフォーム画像（例えば、図２（Ａ）に示す２ページからなるフォーム画像）を指し、「ジョブ」は、空白ページを挿入する前の一組のバリアブル画像（例えば、図２（Ｃ）に示すバリアブル画像のうちのおもて面のページ（奇数ページ）のみの集合）を指している。
【００３４】
この図３に示す、「フォームとジョブのページ配置」の指示画面上では、「ジョブの全ページにフォームのページを配置」、「フォームの奇数ページにジョブの全ページを配置」、「フォームの偶数ページにジョブの全ページを配置」の３つのプルダウンメニューの中からユーザ操作により任意の１つが選択される。ここで、「ジョブの全ページにフォームのページを配置」は、本発明にいう「第１配置モード」の一例に相当し、「フォームの奇数ページにジョブの全ページを配置」および「フォームの偶数ページにジョブの全ページを配置」は、本発明にいう「第２配置モード」の一例に相当する。
【００３５】
図４は、図３に示す「フォームとジョブのページ配置」の指示画面上で「ジョブの全ページにフォームのページを配置」を選択した場合の、フォーム画像とバリアブル画像との組合せ例を示した図である。ここで、図４（Ａ）はフォーム画像、図４（Ｂ）はバリアブル画像、図４（Ｃ）は、印刷画像である。
【００３６】
図４（Ａ）に示すフォーム画像は、「Ｆ１」と「Ｆ２」の２ページから構成されている。また、図４（Ｂ）に示すバリアブル画像は、「Ｖ１」〜「Ｖ４」の４ページから構成されている。
【００３７】
ここでは、図３に示す「フォームとジョブのページ配置」の指示画面上で「ジョブの全ページにフォームのページを配置」が選択されている。このため、図４（Ｃ）に示す印刷画像は、図示の通り、その１ページ目は、「Ｆ１」と「Ｖ１」とが組み合わされた画像、２ページ目は、「Ｆ２」と「Ｖ２」とが組み合わされた画像、３ページ目は、「Ｆ１」と「Ｖ３」とが組み合わされた画像、４ページ目は、「Ｆ２」と「Ｖ４」とが組み合わされた画像、となる。
【００３８】
図５は、図３に示す「フォームとジョブのページ配置」の指示画面上で「フォームの奇数ページにジョブの全ページを配置」を選択した場合の、フォーム画像とバリアブル画像との組合せ例を示した図である。ここで、図５（Ａ），（Ｂ）は、図４（Ａ），（Ｂ）と同様、それぞれ、「Ｆ１」と「Ｆ２」の２ページから構成されたフォーム画像、「Ｖ１」〜「Ｖ４」の４ページから構成されたバリアブル画像である。
【００３９】
図５（Ｃ）は、印刷画像を示している。ここでは、図３に示す「フォームとジョブのページ配置」の指示画面上で「フォームの奇数ページにジョブの全ページを配置」が選択されている。このため、図５（Ｃ）に示す印刷画像では、バリアブル画像の全ページ「Ｖ１」〜「Ｖ４」がフォーム画像の奇数ページ「Ｆ１」にのみ配置されている。フォーム画像の偶数ページ「Ｆ２」は、バリアブル画像とは組み合わされずに、単独で印刷画像の偶数ページを構成している。これにより、合計８枚の印刷画像となる。ここで、図５（Ｃ）に示す印刷画像を構成するにあたり、クライアントＰＣ１００の内部処理としては、バリアブル画像「Ｖ１」〜「Ｖ４」の各ページの後に空白ページが挿入され、フォーム画像の偶数ページ「Ｆ２」には、その空白ページが組み合わされる。すなわち、フォーム画像とバリアブル画像を組み合わせる前に空白ページを挿入しておき、印刷画像の全ページについて同じ組合せ処理を繰り返す。こうすることで、偶数ページについてはフォーム画像の偶数ページ「Ｆ２」のみからなる印刷画像が生成される。
【００４０】
図６は、図３に示す「フォームとジョブのページ配置」の指示画面上で「フォームの偶数ページにジョブの全ページを配置」を選択した場合の、フォーム画像とバリアブル画像との組合せ例を示した図である。ここで、図６（Ａ），（Ｂ）は、図４および図５の（Ａ），（Ｂ）と同様、それぞれ、「Ｆ１」と「Ｆ２」の２ページから構成されたフォーム画像、「Ｖ１」〜「Ｖ４」の４ページから構成されたバリアブル画像である。
【００４１】
図６（Ｃ）は、印刷画像を示している。ここでは、図３に示す「フォームとジョブのページ配置」の指示画面上で「フォームの偶数ページにジョブの全ページを配置」が選択されている。このため、図６（Ｃ）に示す印刷画像では、バリアブル画像の全ページ「Ｖ１」〜「Ｖ４」がフォーム画像の偶数ページ「Ｆ２」にのみ配置されている。フォーム画像の奇数ページ「Ｆ１」は、バリアブル画像とは組み合わされずに、単独で印刷画像の奇数ページを構成している。これにより、合計８枚の印刷画像となる。ここで、図６（Ｃ）に示す印刷画像を構成するにあたり、クライアントＰＣ１００の内部処理としては、バリアブル画像「Ｖ１」〜「Ｖ４」の各ページの前に空白ページが挿入され、フォーム画像の奇数ページ「Ｆ１」には、その空白ページが組み合わされる。すなわち、フォーム画像とバリアブル画像を組み合わせる前に空白ページを挿入しておき、印刷画像の全ページについて同じ組合せ処理を繰り返す。こうすることで、奇数ページについてはフォーム画像の奇数ページ「Ｆ１」のみからなる印刷画像が生成される。
【００４２】
図７は、「製本方式」の指示画面を示した図である。
【００４３】
ユーザは、クライアントＰＣ１００を操作して、その表示画面上に、この図７に示す「製本方式」の指示画面を表示させる。
【００４４】
この「製本方式」の指示画面上に示されている「まとめて１枚」は、１枚の用紙の片面（両面印刷の場合はそれぞれの面）に複数ページの印刷画像をまとめて配置することを意味している。この「まとめて１枚」を選択すると、その下層のメニュー画面上で、「２アップ」、「４アップ」、「８アップ」を選択することができる。ここで、「２アップ」は、１枚の用紙の片面（両面印刷の場合はそれぞれの面）に２ページ分の印刷画像をまとめて配置することを意味している。他も同様である。
【００４５】
また、図７の「製本方式」の指示画面上に示されている「殖版」は、１枚の用紙の片面（両面印刷の場合はそれぞれの面）に、同じ１ページの印刷画像を複数枚並べて配置することを意味している。この、「殖版」についても、その下層のメニュー画面上で、１枚の用紙の片面（両面印刷の場合はそれぞれの面）に並べて配置する印刷画像の枚数（２面付け、４面付けなど）を選択することができる。この「製本方式」には、「まとめて１枚」と「殖版」の他にも選択肢が存在するが、ここでの説明には無関係であり、割愛する。
【００４６】
図８は、図７に示す「製本方式」の指示画面上で「まとめて１枚」（ここでは「２アップ」）が選択され、さらに、図３に示す「フォームとジョブのページ配置」の指示画面上で「ジョブの全ページにフォームのページを配置」を選択した場合の、フォーム画像とバリアブル画像との組合せ例を示した図である。ここで、図８（Ａ）はフォーム画像、図８（Ｂ）はバリアブル画像、図８（Ｃ）は、印刷画像である。この図８（Ｃ）における、印刷画像２ページ分を囲う枠は、その印刷画像を印刷する用紙の片面を表わしている。
【００４７】
図８（Ａ）に示すフォーム画像は、これまでに説明した図４〜図６の（Ａ）と同様、「Ｆ１」と「Ｆ２」の２ページから構成されている。また、図８（Ｂ）に示すバリアブル画像は、図４〜図６の（Ｂ）と同様、「Ｖ１」〜「Ｖ４」の４ページから構成されている。
【００４８】
ここでは、図３に示す「フォームとジョブのページ配置」の指示画面上で「ジョブの全ページにフォームのページを配置」が選択されている。このため、図８（Ｃ）に示す印刷画像は、図示の通り、その１ページ目は、「Ｆ１」と「Ｖ１」とが組み合わされた画像、２ページ目は、「Ｆ２」と「Ｖ２」とが組み合わされた画像、３ページ目は、「Ｆ１」と「Ｖ３」とが組み合わされた画像、４ページ目は、「Ｆ２」と「Ｖ４」とが組み合わされた画像、となる。
【００４９】
ここまでは、図４に示した例と同じである。
【００５０】
ただし、ここでは「２アップ」が指定されているので、印刷画像の１ページ目（「Ｆ１」＋「Ｖ１」）と２ページ目（「Ｆ２」＋「Ｖ２」）を合わせた画像が、用紙上では１ページ目の画像となり、印刷画像の３ページ目（「Ｆ１」＋「Ｖ３」）と４ページ目（「Ｆ２」＋「Ｖ４」）とを合わせた画像が、用紙上では２ページ目の画像となり、用紙上では、２ページ分の画像となる。
【００５１】
図９は、図７に示す「製本方式」の指示画面上で「まとめて１枚」（ここでは「２アップ」）が選択され、さらに、図３に示す「フォームとジョブのページ配置」の指示画面上で「フォームの奇数ページにジョブの全ページを配置」を選択した場合の、フォーム画像とバリアブル画像との組合せ例を示した図である。ここで、図９（Ａ），（Ｂ）は、それぞれ、「Ｆ１」と「Ｆ２」の２ページから構成されたフォーム画像、「Ｖ１」〜「Ｖ４」の４ページから構成されたバリアブル画像である。また、図９（Ｃ）は、印刷画像である。この図９（Ｃ）における、印刷画像２ページ分を囲う枠は、その印刷画像を印刷する用紙の片面を表わしている。
【００５２】
ここでは、図３に示す「フォームとジョブのページ配置」の指示画面上で「フォームの奇数ページにジョブの全ページを配置」が選択されている。このため、図９（Ｃ）に示す印刷画像では、バリアブル画像の全ページ「Ｖ１」〜「Ｖ４」がフォーム画像の奇数ページ「Ｆ１」にのみ配置されている。フォーム画像の偶数ページ「Ｆ２」は、バリアブル画像とは組み合わされずに、単独で印刷画像の偶数ページを構成している。これにより、合計８枚の印刷画像となる。
【００５３】
ここまでは、図５に示した例と同じである。
【００５４】
ただし、ここでは「２アップ」が指定されているので、印刷画像の１ページ目（「Ｆ１」＋「Ｖ１」）と２ページ目（「Ｆ２」のみ）を合わせた画像が、用紙上では１ページ目の画像となり、印刷画像の３ページ目（「Ｆ１」＋「Ｖ２」）と４ページ目（「Ｆ２」のみ）とを合わせた画像が、用紙上では２ページ目の画像となり、印刷画像の５ページ目（「Ｆ１」＋「Ｖ３」）と６ページ目（「Ｆ２」のみ）を合わせた画像が、用紙上では３ページ目の画像となり、印刷画像の７ページ目（「Ｆ１」＋「Ｖ４」）と８ページ目（「Ｆ２」のみ）とを合わせた画像が、用紙上では４ページ目の画像となり、用紙上では、４ページ分の画像となる。
【００５５】
図１０は、図７に示す「製本方式」の指示画面上で「まとめて１枚」（ここでは「２アップ」）が選択され、さらに、図３に示す「フォームとジョブのページ配置」の指示画面上で「フォームの偶数ページにジョブの全ページを配置」を選択した場合の、フォーム画像とバリアブル画像との組合せ例を示した図である。ここで、図１０（Ａ），（Ｂ）は、それぞれ、「Ｆ１」と「Ｆ２」の２ページから構成されたフォーム画像、「Ｖ１」〜「Ｖ４」の４ページから構成されたバリアブル画像である。また、図１０（Ｃ）は、印刷画像である。この図１０（Ｃ）における、印刷画像２ページ分を囲う枠は、その印刷画像を印刷する用紙の片面を表わしている。
【００５６】
ここでは、図３に示す「フォームとジョブのページ配置」の指示画面上で「フォームの偶数ページにジョブの全ページを配置」が選択されている。このため、図１０（Ｃ）に示す印刷画像では、バリアブル画像の全ページ「Ｖ１」〜「Ｖ４」がフォーム画像の偶数ページ「Ｆ２」にのみ配置されている。フォーム画像の奇数ページ「Ｆ１」は、バリアブル画像とは組み合わされずに、単独で印刷画像の偶数ページを構成している。これにより、合計８枚の印刷画像となる。
【００５７】
ここまでは、図６に示した例と同じである。
【００５８】
ただし、ここでは「２アップ」が指定されているので、印刷画像の１ページ目（「Ｆ１」のみ）と２ページ目（「Ｆ２」＋「Ｖ１」）を合わせた画像が、用紙上では１ページ目の画像となり、印刷画像の３ページ目（「Ｆ１」のみ）と４ページ目（「Ｆ２」＋「Ｖ２」）とを合わせた画像が、用紙上では２ページ目の画像となり、印刷画像の５ページ目（「Ｆ１」のみ）と６ページ目（「Ｆ２」＋「Ｖ３」）を合わせた画像が、用紙上では３ページ目の画像となり、印刷画像の７ページ目（「Ｆ１」のみ）と８ページ目（「Ｆ２」＋「Ｖ４」）とを合わせた画像が、用紙上では４ページ目の画像となり、用紙上では、４ページ分の画像となる。
【００５９】
図１１は、図７に示す「製本方式」の指示画面上で「殖版」（ここでは「２面付け」）が選択され、さらに、図３に示す「フォームとジョブのページ配置」の指示画面上で「ジョブの全ページにフォームのページを配置」を選択した場合の、フォーム画像とバリアブル画像との組合せ例を示した図である。ここで、図１１（Ａ）はフォーム画像、図１１（Ｂ）はバリアブル画像、図１１（Ｃ）は、印刷画像である。この図１１（Ｃ）における、印刷画像２ページ分を囲う枠は、その印刷画像を印刷する用紙の片面を表わしている。
【００６０】
図１１（Ａ）に示すフォーム画像は、「Ｆ１」と「Ｆ２」の２ページから構成されている。また、図１１（Ｂ）に示すバリアブル画像は、「Ｖ１」〜「Ｖ４」の４ページから構成されている。
【００６１】
ここでは、図３に示す「フォームとジョブのページ配置」の指示画面上で「ジョブの全ページにフォームのページを配置」が選択されている。このため、図１（Ｃ）に示す印刷画像は、図示の通り、その１ページ目は、「Ｆ１」と「Ｖ１」とが組み合わされた画像、２ページ目は、「Ｆ２」と「Ｖ２」とが組み合わされた画像、３ページ目は、「Ｆ１」と「Ｖ３」とが組み合わされた画像、４ページ目は、「Ｆ２」と「Ｖ４」とが組み合わされた画像、となる。
【００６２】
ここまでは、図４に示した例と同じである。
【００６３】
ただし、ここでは「２面付け」が指定されているので、用紙上の各ページには、１ページ分の印刷画像が２つ並べられて印刷される。
【００６４】
図１２は、図７に示す「製本方式」の指示画面上で「殖版」（ここでは「２面付け」）が選択され、さらに、図３に示す「フォームとジョブのページ配置」の指示画面上で「フォームの奇数ページにジョブの全ページを配置」を選択した場合の、フォーム画像とバリアブル画像との組合せ例を示した図である。ここで、図１２（Ａ），（Ｂ）は、それぞれ、「Ｆ１」と「Ｆ２」の２ページから構成されたフォーム画像、「Ｖ１」〜「Ｖ４」の４ページから構成されたバリアブル画像である。また、図１２（Ｃ）は、印刷画像である。この図１２（Ｃ）における、印刷画像２ページ分を囲う枠は、その印刷画像を印刷する用紙の片面を表わしている。
【００６５】
ここでは、図３に示す「フォームとジョブのページ配置」の指示画面上で「フォームの奇数ページにジョブの全ページを配置」が選択されている。このため、図１２（Ｃ）に示す印刷画像では、バリアブル画像の全ページ「Ｖ１」〜「Ｖ４」がフォーム画像の奇数ページ「Ｆ１」にのみ配置されている。フォーム画像の偶数ページ「Ｆ２」は、バリアブル画像とは組み合わされずに、単独で印刷画像の偶数ページを構成している。これにより、合計８枚の印刷画像となる。
【００６６】
ここまでは、図５に示した例と同じである。
【００６７】
ただし、ここでは「２面付け」が指定されているので、用紙上の各ページには、１ページ分の印刷画像が２つ並べられて印刷される。
【００６８】
図１３は、図７に示す「製本方式」の指示画面上で「殖版」（ここでは「２面付け」）が選択され、さらに、図３に示す「フォームとジョブのページ配置」の指示画面上で「フォームの偶数ページにジョブの全ページを配置」を選択した場合の、フォーム画像とバリアブル画像との組合せ例を示した図である。ここで、図１３（Ａ），（Ｂ）は、それぞれ、「Ｆ１」と「Ｆ２」の２ページから構成されたフォーム画像、「Ｖ１」〜「Ｖ４」の４ページから構成されたバリアブル画像である。また、図１３（Ｃ）は、印刷画像である。この図１３（Ｃ）における、印刷画像２ページ分を囲う枠は、その印刷画像を印刷する用紙の片面を表わしている。
【００６９】
ここでは、図３に示す「フォームとジョブのページ配置」の指示画面上で「フォームの偶数ページにジョブの全ページを配置」が選択されている。このため、図１３（Ｃ）に示す印刷画像では、バリアブル画像の全ページ「Ｖ１」〜「Ｖ４」がフォーム画像の偶数ページ「Ｆ２」にのみ配置されている。フォーム画像の奇数ページ「Ｆ１」は、バリアブル画像とは組み合わされずに、単独で印刷画像の偶数ページを構成している。これにより、合計８枚の印刷画像となる。
【００７０】
ここまでは、図６に示した例と同じである。
【００７１】
ただし、ここでは「２面付け」が指定されているので、用紙上の各ページには、１ページ分の印刷画像が２つ並べられて印刷される。
【００７２】
これまでの説明は、フォーム画像が２ページであってバリアブル画像が４ページという、バリアブル画像のページ数がフォーム画像のページ数の倍数の場合についてのフォーム画像とバリアブル画像との組合せ例についての説明である。次に、バリアブル画像のページ数がフォーム画像のページ数の倍数ではない場合の、フォーム画像とバリアブル画像との組合せ例について説明する。
【００７３】
図１４は、フォーム画像が２ページ、バリアブル画像が３ページの場合の、フォーム画像とバリアブル画像との組合せ例を示した図である。
【００７４】
図１４（Ａ）は、「Ｆ１」と「Ｆ２」の２ページから構成されたフォーム画像を示している。また、図１４（Ｂ）は、「Ｖ１」、「Ｖ２」、「Ｖ３」の３ページから構成されたバリアブル画像を示している。
【００７５】
また、図１４（Ｃ）は、図３に示す「フォームとジョブのページ配置」の指示画面上で「ジョブの全ページにフォームのページを配置」を選択した場合の印刷画像を示した図である。
【００７６】
この場合、２ページのフォーム画像が１ページずつ交互に繰り返し使用され、バリアブル画像の全ページにフォーム画像が割り当てられる。
【００７７】
図１４（Ｄ）は、、図３に示す「フォームとジョブのページ配置」の指示画面上で「フォームの奇数ページにジョブの全ページを配置」を選択した場合の印刷画像を示した図である。
【００７８】
この場合、印刷画像のページ数がバリアブル画像のページ数の倍数となるように、フォーム画像のみのページが追加される。
【００７９】
なお、ここでは、フォーム画像が２ページの場合について説明したが、フォーム画像が３ページ以上の場合は、それら３ページ以上のフォーム画像が１ページずつ循環的に繰り返し使用される。フォーム画像が１ページの場合はその１ページのフォーム画像が繰り返し使用される。
【００８０】
図１５は、画像処理プログラムのフローチャートを示した図である。
【００８１】
この図１５に示す画像処理プログラムが図１に示したクライアントＰＣ１００内で実行されることにより、以上に例示した、フォーム画像とバリアブル画像の組合せが実現する。
【００８２】
ここでは、ユーザ操作に応じて、フォーム（ひと組のフォーム画像）とジョブ（ひと組のバリアブル画像）が選択される（ステップＳ０１）。次いで、製本方式（図７参照）が選択され（ステップＳ０２）、さらに、フォームとジョブのページ配置方法（図３参照）が選択される（ステップＳ０３）。すると、クライアントＰＣ１００内において、これまで例示してきた通りの、フォーム画像とバリアブル画像のページ配置処理が行われる（ステップＳ０４）。このステップＳ０４については、図１６を参照して後述する。
【００８３】
ページ配置処理（ステップＳ０４）が終了すると、印刷画像のプレビューが表示される（ステップＳ０５）。プレビューの終了が指示され（ステップＳ０６）、印刷が指示されると（ステップＳ０７）、印刷画像とその印刷画像に基づく印刷の指示がクライアントＰＣ１００から複合機２００に向けて送信される（ステップＳ０８）。複合機２００では、この指示を受けて、印刷画像を用紙上に印刷する。
【００８４】
図１６は、ページ配置処理のフローチャートを示した図である。この図１６に示すページ配置処理は、図１５のステップＳ０４における処理である。
【００８５】
ここでは先ず、原稿のページ数を取得する（ステップＳ４０）。ここで、「原稿のページ数」とは、空白ページ挿入前のバリアブル画像のページ数をいう。
【００８６】
次いで、原稿ページリストを作成する（ステップＳ４１）。ここで、「原稿ページリスト」は、原稿を１ページずつ配置する枠の配列をいう。この初期段階では、１ページ目の枠には原稿の１ページ目が対応付けられ、２ページ目の枠には原稿の２ページ目が対応付けられ、以下同様に対応づけられる。後のステップで空白のページが挿入されると、空白のページが挿入された分だけ、それ以降のページの対応づけが調整される。
【００８７】
次いで、フォームのページ数を取得する（ステップＳ４２）。
【００８８】
次に、図３に示す「フォームとジョブのページ配置」の指示画面上で、「モード１」（「ジョブの全ページにフォームのページを配置」）が選択されたか、あるいは「モード２」（「フォームの奇数ページにジョブの全ページを配置」または「フォームの偶数ページにジョブの全ページを配置」）が選択されたかが判定される（ステップＳ４３）。この選択は、図１５のステップＳ０３で行われている。
【００８９】
「モード２」が選択されていた場合は、さらに、「奇数」（「フォームの奇数ページにジョブの全ページを配置」）が選択されているか、または「偶数」（「フォームの偶数ページにジョブの全ページを配置」）が選択されているかが判定される（ステップＳ４４）。そして、「奇数」が選択されていた場合は、フォーム画像の偶数ページにバリアブル画像の空白ページが組み合わされるように、原稿ページリストの、各原稿が対応付けられている各枠の後方に、空白ページの枠が追加される（ステップＳ４５）。図２（Ｃ）は、各原稿が対応付けられている各枠の後方に空白ページの枠を追加した後の原稿ページリストを示している。一方、「偶数」が選択されていた場合は、フォーム画像の奇数ページにバリアブル画像の空白ページが組み合わされるように、原稿ページリストの、各原稿が対応付けられている各枠の前方に、空白ページの枠が追加される（ステップＳ４６）。
【００９０】
そしてさらに、原稿ページリストに並ぶ枠の数がフォームページ数の倍数か否かが判定され（ステップＳ４７）、倍数でなかったときは、図１４（Ｄ）の末尾に太枠で示したように、原稿ページリストの末尾に空白のページを追加する（ステップＳ４８）。ただし、図１４（Ｄ）の末尾には、空白の枠にフォーム画像「Ｆ２」が配置された後のイメージが示されている。
【００９１】
このようにして、必要に応じて空白の枠が挿入された原稿ページリスト中の各枠（各枠には原稿のいずれか１ページあるいは空白が配置されている）に、フォーム画像を循環的（フォーム画像が２ページの場合の交互を含む）に配置する（ステップＳ４９）。なお、フォーム画像が１ページのみの場合は、常にその１ページのフォーム画像が配置される。      
【００９２】
ここで、ステップＳ４３において、モード１と判定されたときは、直接にステップＳ４９に進む。
【００９３】
以上の処理により、ユーザが、空白のページを１ページずつ挿入する操作を行なうことなく、これまでに例示した、フォーム画像とバリアブル画像との組合せが実現する。
【００９４】
なお、ここでは、本発明の第２モードとして、バリアブル画像の各ページをフォーム画像の偶数ページのみ、あるいは奇数ページのみに配置する例について説明したが、バリアブル画像の各ページをフォーム画像の任意のページに配置することが可能な構成としてもよい。この場合、例えばフォーム画像が４ページ構成の場合において、フォーム画像の１ページのみを指定すると、バリアブル画像の各ページはフォーム画像の１ページ目のみに配置される。また、例えば、フォーム画像が４ページ構成の場合において、フォーム画像の１ページ目と２ページ目の２ページを指定すると、バリアブル画像の各ページが、フォーム画像の１ページ目と２ページ目に交互に配置される。さらに、例えば、フォーム画像が４ページ構成の場合において、フォーム画像の１ページ目と２ページ目と３ページ目との３ページを指定すると、バリアブル画像の各ページが、フォーム画像の１ページ目と２ページ目と３ページ目に循環的に配置される。
【符号の説明】
【００９５】
１０    印刷システム
１００  クライアントＰＣ
２００    複合機
３００    ＬＡＮ
【図１】
2017208008.tif 000003
【図２】
2017208008.tif 000004
【図３】
2017208008.tif 000005
【図４】
2017208008.tif 000006
【図５】
2017208008.tif 000007
【図６】
2017208008.tif 000008
【図７】
2017208008.tif 000009
【図８】
2017208008.tif 000010
【図９】
2017208008.tif 000011
【図１０】
2017208008.tif 000012
【図１１】
2017208008.tif 000013
【図１２】
2017208008.tif 000014
【図１３】
2017208008.tif 000015
【図１４】
2017208008.tif 000016
【図１５】
2017208008.tif 000017
【図１６】
2017208008.tif 000018